(57)【要約】      （修正有）【課題】ガス検知器に通じる検査用ガス供給部に検査用ガスを供給して、当該ガス検知器を検査するにあたり、高い安全性とシステム構成の合理化を実現する技術を提供する。【解決手段】ガス検知器Ｓに通じる検査用ガス供給部７０ａに検査用ガスＧを供給して、当該ガス検知器Ｓを検査するガス検知器検査システム５０において、検査用ガスＧと共に不燃性の液体Ｌを内部に貯留する密封式のガス貯留容器Ｖａと、ガス貯留容器Ｖａ内の気層部と検査用ガス供給部７０ａとを接続するガス供給管４０と、を備えると共に、ガス貯留容器Ｖａ内の液面レベルＨａに上昇力を作用させて、当該ガス貯留容器Ｖａ内の気層部に圧力を印加する圧力印加手段Ｘを備える。【選択図】図１
2018124180.tif 000002
【特許請求の範囲】
【請求項１】
ガス検知器に通じる検査用ガス供給部に検査用ガスを供給して、当該ガス検知器を検査するガス検知器検査システムであって、
前記検査用ガスと共に不燃性の液体を内部に貯留する密封式のガス貯留容器と、前記ガス貯留容器内の気層部と前記検査用ガス供給部とを接続するガス供給管と、を備えると共に、
前記ガス貯留容器内の液面レベルに上昇力を作用させて、当該ガス貯留容器内の気層部に圧力を印加する圧力印加手段を備えたガス検知器検査システム。
【請求項２】
前記検査用ガスが補給される検査用ガス補給部と前記ガス貯留容器内の液層部とを接続する検査用ガス補給管を備えた請求項１に記載のガス検知器検査システム。
【請求項３】
前記液体を内部に貯留し、前記ガス貯留容器に対して液層部同士が接続された液体貯留容器を備えると共に、
前記圧力印加手段が、前記液体貯留容器から前記ガス貯留容器へ前記液体を圧送して、前記ガス貯留容器内の液面レベルに上昇力を作用させる請求項１又は２に記載のガス検知器検査システム。
【請求項４】
前記液体貯留容器内の液層部と前記ガス貯留容器内の液層部とを接続する液層接続管を備えると共に、
前記圧力印加手段が、前記液体貯留容器の液面レベルを前記ガス貯留容器の液面レベルよりも高位に位置させて前記ガス貯留容器内の液面に対して液圧を作用させ、前記液体貯留容器から前記液層接続管を通じて前記ガス貯留容器へ前記液体を圧送する請求項３に記載のガス検知器検査システム。
【請求項５】
前記ガス貯留容器及び前記液体貯留容器が、内部の液体貯留空間の水平断面積が鉛直方向において一定に構成されている請求項４に記載のガス検知器検査システム。
【請求項６】
前記ガス貯留容器が、配管の挿通部を底面側に配置して構成されている請求項１〜５の何れか１項に記載のガス検知器検査システム。
【請求項７】
前記液体が、前記検査用ガスに対して難溶解性を示す液体である請求項１〜６の何れか１項に記載のガス検知器検査システム。
【請求項８】
前記ガス検知器が、燃焼炉内に通じる排気路の可燃性ガスに感応するガス検知器である請求項１〜７の何れか１項に記載のガス検知器検査システム。
【請求項９】
ガス検知器に通じる検査用ガス供給部に検査用ガスを供給して、当該ガス検知器を検査するガス検知器検査方法であって、
前記検査用ガスと共に不燃性の液体を内部に貯留する密封式のガス貯留容器と、前記ガス貯留容器内の気層部と前記検査用ガス供給部とを接続するガス供給管と、を設け、
前記ガス貯留容器内の液面レベルに上昇力を作用させて、当該ガス貯留容器内の気層部に圧力を印加する圧力印加処理と、
前記ガス貯留容器内の液面レベルの上昇を伴って、前記ガス貯留容器から前記ガス供給管を通じて前記検査用ガス供給部に前記検査用ガスを供給する検査処理と、を実行するガス検知器検査方法。
【請求項１０】
前記検査用ガスが補給される検査用ガス補給部と前記ガス貯留容器内の液層部とを接続する検査用ガス補給管と、前記液体を内部に貯留する液体貯留容器と、前記液体貯留容器内の液層部と前記ガス貯留容器内の液層部とを接続する液層接続管と、を設け、
前記圧力印加処理が、前記液体貯留容器から前記液層接続管を通じて前記ガス貯留容器へ前記液体を圧送して、前記ガス貯留容器内の液面レベルに上昇力を作用させる処理であり、
前記ガス貯留容器内の液面レベルの降下を伴って、前記検査用ガス補給部から前記検査用ガス補給管を通じて前記ガス貯留容器に前記検査用ガスを補給する補給処理を実行した後に、前記検査処理を実行する請求項９に記載のガス検知器検査方法。
【請求項１１】
前記検査処理を複数回実行する毎に、前記補給処理を実行する請求項１０に記載のガス検知器検査方法。
【発明の詳細な説明】
【技術分野】
【０００１】
本発明は、ガス検知器に通じる検査用ガス供給部に検査用ガスを供給して、当該ガス検知器を検査するガス検知器検査システム、及び、そのガス検知器検査システムを利用して、前記ガス検知器を検査するガス検知器検査方法に関する。
【背景技術】
【０００２】
塗装乾燥炉やボイラー等のような燃料ガスを燃焼させる燃焼炉から排ガスが排出される排気路では、可燃性ガスの有無やその濃度等の状態を監視して安全性を確保する目的で、可燃性ガスに感応するガス検知器が設置されている。例えば、燃焼炉の操業を開始する際には、排気路に滞留している可燃性ガスによる爆発等を未然に防止するために、ガス検知器により排気路に１００％ＬＥＬ（爆発下限界）より高い濃度の可燃性ガスが存在しないことを予め確認した上で燃焼炉内にて燃料ガスの燃焼を開始することが望ましい。
【０００３】
この種のガス検知器は、定期的に正常に作動するか否かを検査して、適切な校正やメンテナンス等を実施する必要がある。そして、ガス検知器の検査を行うためのガス検知器検査システムとしては、ガス検知器に通じる検査用ガス供給部に検査用ガスを供給可能なシステムが知られている（例えば、特許文献１及び２を参照。）。
即ち、上記特許文献１に記載のシステムは、検査用ガス（標準ガス）を高圧で貯留する高圧ボンベ（７）を設置し、その高圧ボンベ（７）から取り出した検査用ガスをガス検知器（５）側に供給するように構成されている。
一方、上記特許文献２に記載のシステムは、検査用ガスである可燃性ガス（燃焼性ガス）を発生するエチルアルコールなどの液状炭化水素を含浸用充填材に含浸させてなるガス源（５３）を容器（５２）内に配置したガス発生器（５１）を設置して、当該ガス発生器（５１）で気化させた可燃性ガスをガス検知器（２１）側に供給するように構成されている。
【先行技術文献】
【特許文献】
【０００４】
【特許文献１】実開昭５７−１９２４５７号公報
【特許文献２】特開２００６−７８４３４号公報
【発明の概要】
【発明が解決しようとする課題】
【０００５】
上述した特許文献１に記載のガス検知器検査システムでは、検査用ガスを高圧で貯留する高圧ボンベの設置場所が、可燃性ガスに感応するガス検知器が設置される燃焼炉付近のように比較的高温となる場所である場合には、高圧ボンベを常に低温（例えば４０℃以下）に保って安全性を確保するために、屋根、障壁、散水装置を設けるなどのように、煩雑で多くの経費がかかる措置を講じる必要がある。
一方、上述した特許文献２に記載のガス検知器検査システムでは、液状炭化水素を気化させて得た可燃性ガスを検査用ガスとして利用するので、かかる液状炭化水素の準備と安全な取扱いに多くの経費と労力が必要となる。
また、これら従来のガス検知器検査システムにおいて、特に可燃性ガスを検査用ガスとして利用する場合には、比較的長期に渡って安全に検査用ガスを保管するために、当該可燃性ガスの漏洩を確実に防止する必要がある。
【０００６】
この実情に鑑み、本発明の主たる課題は、ガス検知器に通じる検査用ガス供給部に検査用ガスを供給して、当該ガス検知器を検査するにあたり、高い安全性とシステム構成の合理化を実現する技術を提供する点にある。
【課題を解決するための手段】
【０００７】
本発明の第１特徴構成は、ガス検知器に通じる検査用ガス供給部に検査用ガスを供給して、当該ガス検知器を検査するガス検知器検査システムであって、
前記検査用ガスと共に不燃性の液体を内部に貯留する密封式のガス貯留容器と、前記ガス貯留容器内の気層部と前記検査用ガス供給部とを接続するガス供給管と、を備えると共に、
前記ガス貯留容器内の液面レベルに上昇力を作用させて、当該ガス貯留容器内の気層部に圧力を印加する圧力印加手段を備えた点にある。
【０００８】
本構成によれば、圧力印加手段により、ガス貯留容器内の液面レベルに上昇力を作用させるという合理的な形態で、ガス貯留容器内の気層部に対して、同気層部に貯留されている検査用ガスをガス検知器側の検査用ガス供給部に適切に供給するための圧力（以下、「供給圧」と呼ぶ場合がある。）を印加することができる。このことで、ガス検知器の検査を行うにあたり、ガス貯留容器内の液面レベルの上昇を伴って、ガス貯留容器からガス供給管を通じて検査用ガス供給部に検査用ガスを供給することができる。
【０００９】
また、ガス貯留容器において、圧力印加手段は、気層部に直接接触することなく、液層部の液面レベルに上昇力を作用させて、気層部に圧力を印加するものであるので、気層部と圧力印加手段の接触部との間には安全性の高い不燃性の液体が常に介在された所謂液封構造が実現されることになる。このことで、気層部に貯留されている検査用ガスが圧力印加手段を通じて外部へ漏洩することを防止して、比較的長期に渡って安全に検査用ガスを保管することができる。
従って、本発明により、ガス検知器に通じる検査用ガス供給部に検査用ガスを供給して、当該ガス検知器を検査するにあたり、高い安全性とシステム構成の合理化を実現するガス検知器検査システムを提供することができる。
【００１０】
本発明の第２特徴構成は、前記検査用ガスが補給される検査用ガス補給部と前記ガス貯留容器内の液層部とを接続する検査用ガス補給管を備えた点にある。
【００１１】
本構成によれば、例えば高圧ボンベなどにより補給用の検査用ガスをシステム内に常備する必要がなく、外部から補給用の検査用ガスを検査用ガス補給部に注入する形態で、ガス貯留容器内の液面レベルの降下を伴って、検査用ガス補給部から検査用ガス補給管を通じてガス貯留容器に検査用ガスを安全に補給することができる。また、ガス貯留容器内での検査用ガスの貯留量を制限すればシステム構成のコンパクト化を図ることができる。
【００１２】
本発明の第３特徴構成は、前記液体を内部に貯留し、前記ガス貯留容器に対して液層部同士が接続された液体貯留容器を備えると共に、
前記圧力印加手段が、前記液体貯留容器から前記ガス貯留容器へ前記液体を圧送して、前記ガス貯留容器内の液面レベルに上昇力を作用させる点にある。
【００１３】
本構成によれば、圧力印加手段により、液体貯留容器からガス貯留容器へ液体を圧送するという合理的な形態で、ガス貯留容器内の液面レベルに上昇力を作用させることができる。これにより、ガス貯留容器内の気層部に対して適切に供給圧を印加して、ガス貯留容器からガス供給管を通じて検査用ガス供給部に検査用ガスを安定して供給することができる。
【００１４】
本発明の第４特徴構成は、前記液体貯留容器内の液層部と前記ガス貯留容器内の液層部とを接続する液層接続管を備えると共に、
前記圧力印加手段が、前記液体貯留容器の液面レベルを前記ガス貯留容器の液面レベルよりも高位に位置させて前記ガス貯留容器内の液面に対して液圧を作用させ、前記液体貯留容器から前記液層接続管を通じて前記ガス貯留容器へ前記液体を圧送する点にある。
【００１５】
本構成によれば、液体貯留容器からガス貯留容器へ機械的に液体を圧送するポンプ等の機構を採用する必要がなく、圧力印加手段により、液体貯留容器内の液面レベルをガス貯留容器内の液面レベルよりも高位に位置させるという合理的な形態で、サイフォン又は逆サイフォンの原理を利用して、液体貯留容器から液層接続管を通じてガス貯留容器へ液体を圧送することができる。これにより、ガス貯留容器内の液面に対して、液体貯留容器内の液面レベルに対するガス貯留容器内の液面レベルの高低差に略比例する液圧を上昇力として作用させることができ、結果、液体貯留容器内の液面レベルの降下並びにガス貯留容器内の液面レベルの上昇を伴って、ガス貯留容器からガス供給管を通じて検査用ガス供給部に検査用ガスを安定して供給することができる。
【００１６】
また、ガス貯留容器内の液面レベルの上昇力として作用する液圧は、上記高低差に略比例することから安定したものとなっており、液体貯留容器から液層接続管を通じてガス貯留容器に圧送される液体の流量が安定して、ガス貯留容器内の液面レベルの急激な変動が抑制されるので、結果、ガス検知器側の検査用ガス供給部に対して一層安定して検査用ガスを供給することができる。
【００１７】
本発明の第５特徴構成は、前記ガス貯留容器及び前記液体貯留容器が、内部の液体貯留空間の水平断面積が鉛直方向において一定に構成されている点にある。
【００１８】
本構成によれば、ガス貯留容器及び液体貯留容器が、内部の液体貯留空間の水平断面積が鉛直方向において一定に、換言すれば内部に貯留された液面レベルの変化に伴う液面面積の変化が生じないように構成されている。このことで、ガス検知器の検査を行うにあたり、一定量の検査用ガスをガス貯留容器からガス検知器側の検査用ガス供給部へ供給する場合には、これら容器内の夫々の液面レベルに関係なく、当該夫々の液面レベルの変化幅は一定のものとなる。従って、ガス貯留容器内の液面レベルの上昇力として作用する液圧は常に同じ状態で変化するものとなり、結果、ガス検知器側の検査用ガス供給部に対して一層安定して検査用ガスを供給することができる。
【００１９】
本発明の第６特徴構成は、前記ガス貯留容器が、配管の挿通部を底面側に配置して構成されている点にある。
【００２０】
本構成によれば、検査用ガスを貯留するガス貯留容器が、例えばガス供給部に検査用ガスを供給するためのガス供給管等の配管の挿通部を底面側に配置しているので、当該配管の挿通部には、ガス貯留容器に貯留される検査用ガスに直接接触することなく安全性の高い不燃性の液体を常に介在させた状態で所謂液封構造が実現されることになり、検査用ガスの外部への漏洩を確実に防止して、一層長期に渡って安全に検査用ガスを保管することができる。
【００２１】
本発明の第７特徴構成は、前記液体が、前記検査用ガスに対して難溶解性を示す液体である点にある。
【００２２】
本構成によれば、ガス貯留容器内において、検査用ガスが同じくガス貯留容器に貯留されている液体に溶解されることを抑制して、検査用ガスの貯留量が無用に減少することを防止できる。このことで、比較的長期に渡ってガス貯留容器に検査用ガスを貯留し、その検査用ガスをガス検知器側に供給して当該ガス検知器の検査を実施することができる。
【００２３】
本発明の第８特徴構成は、前記ガス検知器が、燃焼炉内に通じる排気路の可燃性ガスに感応するガス検知器である点にある。
【００２４】
本構成によれば、燃焼炉に通じる排気路の可燃性ガスに感応するガス検知器を検査対象とし、可燃性ガスを検査用ガスとして利用する場合であっても、当該可燃性ガスを燃焼炉付近に設置されるガス貯留容器内に安全に貯留し、その可燃性ガスを合理的な構成でガス検知器側に供給して、当該ガス検知器の検査を実施することができる。
【００２５】
本発明の第９特徴構成は、ガス検知器に通じる検査用ガス供給部に検査用ガスを供給して、当該ガス検知器を検査するガス検知器検査方法であって、
前記検査用ガスと共に不燃性の液体を内部に貯留する密封式のガス貯留容器と、前記ガス貯留容器内の気層部と前記検査用ガス供給部とを接続するガス供給管と、を設け、
前記ガス貯留容器内の液面レベルに上昇力を作用させて、当該ガス貯留容器内の気層部に圧力を印加する圧力印加処理と、
前記ガス貯留容器内の液面レベルの上昇を伴って、前記ガス貯留容器から前記ガス供給管を通じて前記検査用ガス供給部に前記検査用ガスを供給する検査処理と、を実行する点にある。
【００２６】
本構成によれば、上述した第１特徴構成と同様の作用効果を奏し、ガス検知器に通じる検査用ガス供給部に対して検査用ガスを安全且つ合理的に供給することができる。
【００２７】
本発明の第１０特徴構成は、前記検査用ガスが補給される検査用ガス補給部と前記ガス貯留容器内の液層部とを接続する検査用ガス補給管と、前記液体を内部に貯留する液体貯留容器と、前記液体貯留容器内の液層部と前記ガス貯留容器内の液層部とを接続する液層接続管と、を設け、
前記圧力印加処理が、前記液体貯留容器から前記液層接続管を通じて前記ガス貯留容器へ前記液体を圧送して、前記ガス貯留容器内の液面レベルに上昇力を作用させる処理であり、
前記ガス貯留容器内の液面レベルの降下を伴って、前記検査用ガス補給部から前記検査用ガス補給管を通じて前記ガス貯留容器に前記検査用ガスを補給する補給処理を実行した後に、前記検査処理を実行する点にある。
【００２８】
本構成によれば、補給処理を実行することにより、例えば外部から補給用の検査用ガスを検査用ガス補給部に注入する形態で、ガス貯留容器内の液面レベルの降下を伴って、検査用ガス補給部から検査用ガス補給管を通じてガス貯留容器に検査用ガスを安全に補給することができる。そして、補給処理の実行後に検査処理を実行することにより、ガス貯留容器内の液面レベルの上昇を伴って、合理的に、ガス貯留容器からガス供給管を通じて検査用ガス供給部に検査用ガスを供給することができる。
【００２９】
本発明の第１１特徴構成は、前記検査処理を複数回実行する毎に、前記補給処理を実行する点にある。
【００３０】
本構成によれば、検査処理を定期的に実行するにあたり、当該検査処理を複数回実行する毎に、補給処理を実行して、ガス貯留容器内に検査用ガスを補給することができる。これにより、検査用ガスを補給する補給処理の実行回数をできるだけ少なくして、作業性を向上することができる。
【図面の簡単な説明】
【００３１】
【図１】ガス検知器検査システムの概略構成及び検査処理時の状態を示す図
【図２】ガス検知器検査システムの概略構成及び補給処理時の状態を示す図
【発明を実施するための形態】
【００３２】
本発明の実施形態について、図１及び図２に基づいて説明する。
尚、図１及び図２に示すガス検知器検査システム（以下「本システム」と呼ぶ。）５０内において、流体が通流している状態の管路は太実線で示しており、流体が通流してない管路は細実線で示している。
【００３３】
本実施形態において、本システム５０は、特定成分に感応するガス検知器Ｓに通じる検査用ガス供給部７０ａ近傍に設置され、当該検査用ガス供給部７０ａに検査用ガスＧを供給して、当該ガス検知器Ｓを自動的に検査するシステムとして構成されている。
また、ガス検知器Ｓは、特定成分としてメタンなどの可燃性ガスに感応するものとして構成されており、塗装乾燥炉やボイラー等のような燃料ガスを燃焼させる燃焼炉６０と排気ダクト６４とを接続する排気路６１に設置されている。
【００３４】
排気路６１におけるガス検知器Ｓの下流側には、ポンプ６３、及び流量計６２等の各種補機が設置されており、一方、排気路６１におけるガス検知器Ｓの上流側には、当該排気路６１に対して大気や不活性ガスなどの希釈用ガスを導入するための希釈用ガス供給路７０が接続されている。また、希釈用ガス供給路７０には、ポンプ７１、開閉弁７２、及び流量計７３等の各種補機が設けられている。そして、排気路６１においてポンプ６３の出力を流量計６２で計測される流量に基づいて制御すると共に、希釈用ガス供給路７０において開閉弁７２を開弁した状態でポンプ７１の出力を流量計７３で計測される流量に基づいて制御することで、燃焼炉６０から排気路６１に一定の流量の排ガスを誘引すると共に、排気路６１におけるガス検知器Ｓの上流側に対して一定の流量の希釈用ガスを供給するように構成されている。
【００３５】
このような希釈用ガス供給路７０が設けられていることにより、排気路６１及びその下流側に接続される排気ダクト６４には、燃焼炉６０から排出された排ガスが、希釈用ガスで希釈されて露点温度が低下した状態で通流することになるので、結露が防止されることになる。そして、排気路６１を通流する希釈後の排ガスに一定濃度以上の可燃性ガスが含まれている場合には、当該排気路６１に設置されたガス検知器Ｓが作動して所定の警報を発することで、その状態が把握されることになる。
【００３６】
本システム５０は、図１に示すように、ガス検知器Ｓに通じる希釈用ガス供給路７０の検査用ガス供給部７０ａに接続されたガス供給管４０を通じて、当該検査用ガス供給部７０ａに対して所定の検査用ガスＧを供給可能に構成されている。
ここで、検査用ガスＧとしては、ガス検知器Ｓが感応する特定成分を含むものを利用することができるが、本実施形態では、燃焼炉６０において燃料として利用される燃料ガスを検査用ガスＧとして利用している。このように燃料ガスをそのまま検査用ガスＧとして利用した場合であっても、本システム５０では、検査用ガス供給部７０ａに供給された検査用ガスＧが希釈用ガスにより希釈されて、可燃性ガスの濃度が１００％ＬＥＬ（爆発下限界）以下に低下された上で、ガス検知器Ｓが設置された排気路６１並びに排気ダクト６４に供給されることになる。
そして、本システム５０では、燃焼炉６０において燃料を着火し操業を開始する直前などの所定の検査タイミングにおいて、検査用ガスＧを検査用ガス供給部７０ａに供給して、ガス検知器Ｓが正常に作動するか否かを検査することができる。
【００３７】
次に、本システム５０の具体的構成について説明する。
本システム５０には、密封式のガス貯留容器Ｖａ及び液体貯留容器Ｖｂが設けられている。
ガス貯留容器Ｖａは、蓋部材Ｃａで密封される開口部を有し、検査用ガスＧと共に液体Ｌを内部に貯留する密封容器として構成されている。更に、このガス貯留容器Ｖａは、後述する各配管１０，３０，４０が挿通される挿通部を底面側に配置して構成され、具体的には当該挿通部が設けられた蓋部材Ｃａで密封された開口部を底面側とした逆向き姿勢で設置されている。これにより、蓋部材Ｃａの装着部や蓋部材Ｃａへの各配管１０，３０，４０の挿通部には、ガス貯留容器Ｖａに貯留される検査用ガスＧに直接接触することなく安全性の高い不燃性の液体Ｌを常に介在させた状態で所謂液封構造（液体Ｌとして水を利用する場合には水封構造と呼ぶ場合がある。）が実現されており、この液封構造により、検査用ガスＧの外部への漏洩が確実に防止されている。
【００３８】
液体貯留容器Ｖｂは、液体Ｌを内部に貯留し、ガス貯留容器Ｖａに対して液層接続管３０を通じて液層部（液面よりも下方側の液体Ｌが貯留されている部分）同士が接続された密封容器として構成されている。この液体貯留容器Ｖｂは、後述する通気管２０が挿通される挿通部を上面側に有するように構成され、具体的には当該挿通部が設けられた蓋部材Ｃｂで密封された開口部を上面側とした姿勢で設置されており、更に、その底面部には、後述する液層接続管３０が接続されている。
【００３９】
これらガス貯留容器Ｖａ及び液体貯留容器Ｖｂの内部に貯留されている液体Ｌとしては、漏洩時の安全性確保の点から不燃性のものが利用されている。更に、ガス貯留容器Ｖａ内において、検査用ガスＧが液体Ｌに溶解されることを抑制するために、液体Ｌが検査用ガスＧに対して難溶解性を示すものが利用されている。そして、このような液体Ｌとしては水等を好適に利用することができる。
【００４０】
本システム５０には、ガス貯留容器Ｖａ及び液体貯留容器Ｖｂに接続される配管として、検査用ガス補給管１０、通気管２０、液層接続管３０、及び、ガス供給管４０が設けられている。
検査用ガス補給管１０は、シリンジやガスバッグなどで検査用ガスＧが補給される検査用ガス補給部４５とガス貯留容器Ｖａ内の液層部（液面よりも下方側の液体Ｌが貯留されている部分）とを接続する配管として構成されている。即ち、この検査用ガス補給管１０の一端側は、検査用ガス補給部４５に接続されており、一方他端側は、ガス貯留容器Ｖａ内において液体Ｌの液面よりも下方側に開口端部１０ａを位置させる状態で蓋部材Ｃａに挿通されている。また、この検査用ガス補給管１０には、検査用ガスＧの通流を遮断可能な開閉弁１１が設けられており、更に、ガス貯留容器Ｖａの内圧を計測可能な圧力計１２等の各種補機が必要に応じて適宜設けられている。
【００４１】
通気管２０は、排気ダクト６４と液体貯留容器Ｖｂの気層部（液面よりも上方側のガスＡが貯留されている部分）とを接続する配管として構成されている。即ち、この通気管２０の一端側は、ガスＡが通流する排気ダクト６４に接続されており、一方他端側は、液体貯留容器Ｖｂにおいて液体Ｌの液面よりも上方側に開口端部２０ｂを位置させる状態で液体貯留容器Ｖｂの蓋部材Ｃｂに挿通されている。また、この通気管２０には、ガスＡの通流を遮断可能な開閉弁２１が設けられており、更に、液体貯留容器Ｖｂの内圧を計測可能な圧力計２２等の各種補機が必要に応じて適宜設けられている。
【００４２】
液層接続管３０は、液体貯留容器Ｖｂ内の液層部（液面よりも下方側の液体Ｌが貯留されている部分）とガス貯留容器Ｖａ内の液層部（液面よりも下方側の液体Ｌが貯留されている部分）とを接続する配管として構成されている。即ち、この液層接続管３０の一端側は、液体貯留容器Ｖｂにおいて液体Ｌの液面よりも下方側に開口端部３０ｂを位置させる状態で同液体貯留容器Ｖｂの底部に接続されており、一方他端側は、ガス貯留容器Ｖａにおいて液体Ｌの液面よりも下方側に開口端部３０ａを位置させる状態でガス貯留容器Ｖａの蓋部材Ｃａに挿通されている。また、この液層接続管３０には、液体貯留容器Ｖｂからガス貯留容器Ｖａへ供給される液体Ｌの流量を調整可能な流量制御弁３１が設けられている。
【００４３】
ガス供給管４０は、ガス貯留容器Ｖａ内の気層部（液面よりも上方側の検査用ガスＧが貯留されている部分）と検査用ガス供給部７０ａとを接続する配管として構成されている。即ち、このガス供給管４０の一端側は、検査用ガス供給部７０ａに接続されており、一方他端側は、ガス貯留容器Ｖａ内において液体Ｌの液面よりも上方側に開口端部４０ａを位置させる状態でガス貯留容器Ｖａの蓋部材Ｃａに挿通されている。また、このガス供給管４０には、検査用ガスＧの通流を断続可能且つガス貯留容器Ｖａから検査用ガス供給部７０ａへ供給される検査用ガスＧの流量を調整可能な流量制御弁４１が設けられており、更に、検査用ガスＧの乾燥処理を行うドライヤや不純物の除去処理を行うフィルタなどを有するガス処理部４２や、検査用ガスＧの流量を計測可能な流量計４４等の各種補機が必要に応じて適宜設けられている。また、図示は省略するが、ガス供給管４０には、キャピラリーなどのような検査用ガスＧの通流量を安定させるための構成を追加しても構わない。また、ガス供給管４０以外の各配管１０，２０，３０についても、図示は省略するがフィルタやドライヤ等を有するガス処理部を設けても構わない。また、それ以外に、各配管１０，２０，３０，４０に、オートドレンやストップバルブなどの他の機器を適宜設置しても構わない。
【００４４】
以上のように各配管１０，２０，３０，４０が設けられていることで、ガス貯留容器Ｖａ及び液体貯留容器Ｖｂの内部では、各配管１０，２０，３０，４０の開口端部１０ａ，２０ｂ，３０ａ，３０ｂ，４０ａ並びに液体Ｌの液面は以下のように配置されることになる。
即ち、ガス貯留容器Ｖａ内では、検査用ガス補給管１０の開口端部１０ａ及び液層接続管３０の開口端部３０ａが下方側に配置され、ガス供給管４０の開口端部４０ａが上方側に配置されている。そして、ガス貯留容器Ｖａ内では、これら下方側に配置された開口端部１０ａ，３０ａと上方側に配置された開口端部４０ａとの間の範囲内に、液体Ｌの液面レベルＨａが維持されている。
【００４５】
一方、液体貯留容器Ｖｂ内では、液層接続管３０の開口端部３０ｂが下方側に配置され、通気管２０の開口端部２０ｂが上方側に配置されている。そして、液体貯留容器Ｖｂでは、これら下方側に配置された開口端部３０ｂと上方側に配置された開口端部２０ｂとの間の範囲内に、液体Ｌの液面レベルＨｂが維持されている。
【００４６】
本システム５０では、ガス貯留容器Ｖａ内の液面レベルＨａに上昇力を作用させて、当該ガス貯留容器Ｖａ内の気層部に対して、当該気層部の検査用ガスＧを検査用ガス供給部７０ａに供給するための供給圧を印加する圧力印加手段Ｘが設けられている。
このような圧力印加手段Ｘが設けられていることにより、本システム５０を用いたガス検知器検査方法では、図１に示すように、流量制御弁３１を開弁して液体貯留容器Ｖｂ内の液層部とガス貯留容器Ｖａ内の液層部とを連通させると共に、流量制御弁４１を開弁して検査用ガス供給部７０ａに対してガス供給管４０を所定時間開放する。すると、ガス貯留容器Ｖａ内の液面レベルＨａの上昇を伴って、ガス貯留容器Ｖａからガス供給管４０を通じて検査用ガス供給部７０ａに検査用ガスＧを供給する検査処理が実行されることになる。
【００４７】
以下、圧力印加手段Ｘ及びその圧力印加手段Ｘを利用した検査処理の詳細構成について、図１を参照して説明する。
圧力印加手段Ｘは、流量制御弁３１を開弁した状態において、液体貯留容器Ｖｂからガス貯留容器Ｖａへ液体Ｌを圧送して、ガス貯留容器Ｖａ内の液面レベルＨａに上昇力を作用させる形態で圧力印加処理を実行するように構成されている。具体的に、液体貯留容器Ｖｂ内の液面レベルＨｂ（内部に貯留されている液体Ｌの液面の高さ）をガス貯留容器Ｖａ内の液面レベルＨａよりも高位に位置させるように、これら液体貯留容器Ｖｂとガス貯留容器Ｖａとが上下方向に並べて配置されている。すると、サイフォン又は逆サイフォンの原理により、液体貯留容器Ｖｂから液層接続管３０を通じてガス貯留容器Ｖａへ液体Ｌが圧送されることになり、これにより、ガス貯留容器Ｖａ内の液面レベルＨａに対して上昇力が作用されることになる。
【００４８】
尚、液体貯留容器Ｖｂ内の液面レベルＨｂに対するガス貯留容器Ｖａ内の液面レベルＨａの高低差Δｈは適宜設定することができ、例えば本実施形態では、当該高低差Δｈが数十ｃｍ（例えば３０ｃｍ程度）に設定されている。そして、この高低差Δｈに略比例する液圧（液体Ｌとして水を利用する場合には水頭圧に相当する。）が、ガス貯留容器Ｖａ内の液面レベルＨａの上昇力として作用することになる。
即ち、このような液面レベルＨａ，Ｈｂの高低差Δｈを適切に設定することで、ガス貯留容器Ｖａ内の液面レベルＨａに対して作用させる上昇力を適切なものに設定することができる。このことで、ガス貯留容器Ｖａ内の気層部へ印加される供給圧の過剰な上昇が抑制されることになり、比較的低圧で検査用ガスＧがガス貯留容器Ｖａ内に貯留されることで、安全性が向上されている。
【００４９】
そして、上記検査処理では、圧力印加手段Ｘにより圧力印加処理が実行されてガス貯留容器Ｖｂ内の気層部に圧力が印加された状態で、流量制御弁３１，４１を開弁することで、液層接続管３０を通じて液体貯留容器Ｖｂからガス貯留容器Ｖａに液圧が付加されて液体Ｌが圧送される。すると、液体貯留容器Ｖｂ内の液面レベルＨｂが降下すると共にガス貯留容器Ｖａの液面レベルＨａが上昇して、ガス貯留容器Ｖａの気層部に貯留されている検査用ガスＧがガス供給管４０を通じて検査用ガス供給部７０ａに押し出されることになる。
【００５０】
上記検査処理において、ガス貯留容器Ｖａ内の液面レベルＨａの上昇力として作用する液圧は、液体貯留容器Ｖｂ内の液面レベルＨｂに対するガス貯留容器Ｖａ内の液面レベルＨａの高低差Δｈに略比例することから、急激な変動が無く安定したものとなっている。このことから、ガス貯留容器Ｖａから検査用ガス供給部７０ａへの検査用ガスＧの供給に伴うガス貯留容器Ｖａ内の液面レベルＨａの上昇状態は、急激に変動するものではなく安定したものとなり、結果、検査用ガス供給部７０ａへの安定した検査用ガスＧの供給が実現されている。
【００５１】
流量制御弁４１の開度を調整してガス貯留容器Ｖａからガス供給管４０への検査用ガスＧの流出量を制御することによって、検査用ガス供給部７０ａへの検査用ガスＧの供給量を所望の供給量に設定することができる。一方、液層接続管３０からガス貯留容器Ｖａへの液体Ｌの流入量に略相当する量の検査用ガスＧが、ガス貯留容器Ｖａからガス供給管４０に流出することから、流量制御弁３１の開度を調整して液層接続管３０からガス貯留容器Ｖａへの液体Ｌの流入量を制御することによっても、検査用ガス供給部７０ａへの検査用ガスＧの供給量を所望の供給量に設定することができる。この場合、ガス供給配管４０に負圧が掛かった場合にガス貯留容器Ｖａ内がそれに伴って減圧することを防止するために、流量制御弁４１を作動させることができる。また、前者の流量制御弁４１の開度調整による検査用ガスＧの流出量制御と後者の流量制御弁３１の開度調整による液体Ｌの流入量制御との両方を組み合わせることでも、検査用ガス供給部７０ａへの検査用ガスＧの供給量を所望の供給量に設定することができる。
そして、前者の流量制御弁４１の開度調整による検査用ガスＧの流出量制御では、圧縮性の気体である検査用ガスＧの流量が制御対象となることから、検査用ガスＧの供給量について誤差が生じやすいのに対して、後者の流量制御弁３１の開度調整による液体Ｌの流入量制御では、非圧縮性の液体Ｌが制御対象となることから、検査用ガスＧの供給量について誤差が生じにくい。よって、検査用ガス供給部７０ａへの検査用ガスＧの供給量を高精度に設定するためには、後者の流量制御弁３１の開度調整による液体Ｌの流入量制御を含む方法を採用することが望ましい。
また、検査処理の終了時点から次の検査処理の開始時点までの間に、例えば流量制御弁３１を閉弁した状態でガス貯留容器Ｖａの内圧を一時的に大気圧に開放して、当該ガス貯留容器Ｖａの内圧を一定の外圧（大気圧）に設定しておくことが好ましい。このことにより、ガス貯留容器Ｖａの内圧を一定にした状態で次の検査処理を開始することができ、検査処理の精度を向上することができる。
【００５２】
ガス貯留容器Ｖａ及び液体貯留容器Ｖｂは、内部の液体貯留空間の水平断面積が鉛直方向において一定の容器、具体的には鉛直方向に沿った筒軸心を有する円筒状又は角筒状の容器として構成されている。これにより、上記検査処理において、内部に貯留された液体Ｌの液面レベルＨａ，Ｈｂが変化した場合であっても、その液面面積の変化が生じないものとなっている。すると、ガス貯留容器Ｖａ及び液体貯留容器Ｖｂでは、上記検査処理において、一定量の検査用ガスＧをガス貯留容器Ｖａからガス検知器Ｓ側の検査用ガス供給部７０ａへ供給する場合には、これらの容器Ｖａ，Ｖｂ内の夫々の液面レベルＨａ，Ｈｂに関係なく、当該夫々の液面レベルＨａ，Ｈｂの変化量は一定のものとなり、それら液面レベルＨａ，Ｈｂの高低差Δｈの変化量も一定となる。従って、その高低差Δｈに略比例してガス貯留容器Ｖａ内の液面レベルＨａの上昇力として作用する液圧は、常に同じ状態で変化することになり、結果、ガス検知器Ｓ側の検査用ガス供給部７０ａに対して一層安定した検査用ガスＧの供給が実現される。
【００５３】
以上のような検査処理を複数回連続して実行する場合には、１回の検査処理毎に液体貯留容器Ｖｂ内の液面レベルＨｂが降下すると共にガス貯留容器Ｖａの液面レベルＨａが上昇するので、液体貯留容器Ｖｂ内の液面レベルＨｂに対するガス貯留容器Ｖａ内の液面レベルＨａの高低差Δｈが段階的に小さくなる。すると、ガス貯留容器Ｖａ内の液面レベルＨａに作用する上昇力も段階的に小さくなり、一定時間経過するまでの間に流量制御弁４１を開弁させた際の検査用ガス供給部７０ａへの検査用ガスＧの供給量についても段階的に低下する。そして、この低下幅が大きい場合には、安定した検査が行えなくなるという問題が懸念される。
【００５４】
そこで、本システム５０では、このようなガス貯留容器Ｖａ内の液面レベルＨａに作用する上昇力の低下を抑制するために、ガス貯留容器Ｖａ及び液体貯留容器Ｖｂの内部の液体貯留空間の水平断面積をできるだけ大きいものとし、１回の検査処理における液面レベルＨａ，Ｈｂの変化幅を数ｍｍ〜数ｃｍ程度と小さく抑えるように構成されている。すると、液体貯留容器Ｖｂ内の液面レベルＨｂに対するガス貯留容器Ｖａ内の液面レベルＨａの高低差Δｈの変化が少なくなり、複数回の検査処理を連続して実行する場合において、ガス貯留容器Ｖａ内の液面レベルＨａに作用する上昇力の低下幅を小さくして、結果、当該上昇力の低下に伴う検査用ガス供給部７０ａへの検査用ガスＧの供給量の低下を抑制することができる。
【００５５】
本システム５０を用いたガス検知器検査方法では、上述した検査処理の実行に先立って、ガス貯留容器Ｖａに検査用ガスＧを補給する補給処理が実行される。
以下、この補給処理の詳細構成について、図２を参照して説明する。
上記補給処理では、流量制御弁４１を閉弁し、流量制御弁３１、開閉弁１１及び２１を開弁した状態で、シリンジやガスバッグなどで検査用ガスＧを補給される検査用ガス補給部４５から検査用ガス補給管１０を通じてガス貯留容器Ｖａの液層部に補給する。すると、ガス貯留容器Ｖａ内の気層部における検査用ガスＧの貯留量が増加し、それに伴って当該ガス貯留容器Ｖａ内の液面レベルＨａが降下し、それに伴ってガス貯留容器Ｖａ内の液体Ｌが液層接続管３０を通じて液体貯留容器Ｖｂ側に押し出され、それに伴って液体貯留容器Ｖｂ内の液面レベルＨｂが上昇する。更に、液体貯留容器Ｖｂ内では、液面レベルＨｂの上昇に伴って気層部のガスＡが通気管２０を通じて排気ダクト６４に排出されることになる。尚、液層接続管３０に設けられた流量制御弁３１が、液体貯留容器Ｖｂからガス貯留容器Ｖａへの液体Ｌの通流のみを許容し逆流を防止するものである場合には、この補給処理において、流量制御弁３１をバイパスさせた状態でガス貯留容器Ｖａから液体貯留容器Ｖｂへの液体Ｌの供給を行うためのバイパス管及びバイパス弁等を設けても構わない。
【００５６】
このような補給処理を実行することで、補給用の検査用ガスＧを高圧ボンベなどで常備する必要がなく、検査用ガス補給部４５から検査用ガス補給管１０を通じてガス貯留容器Ｖａに検査用ガスＧを安全に補給することができる。また、ガス貯留容器Ｖａ内での検査用ガスＧの貯留量が複数回の検査処理に対応する量に制限されているので、システム構成のコンパクト化が図られている。
【００５７】
更に、この補給処理（図２参照）は、その実行頻度をできるだけ少なくするために、上述した検査処理（図１参照）を複数回実行する毎に実行される。
例えば、検査処理を燃焼炉６０の操業開始直前のタイミングで１日に１回の頻度で実行する場合には、補給処理を数ヶ月又は１年に１回の頻度で実行することができる。即ち、補給処理では、次の補給処理までに実行される複数回の検査処理で必要な分の検査用ガスＧがガス貯留容器Ｖａに補給されることになる。そして、補給処理を介さずに連続して実行される複数回の検査処理では、ガス貯留容器Ｖａから検査用ガス供給部７０ａへの検査用ガスＧの供給毎にガス貯留容器Ｖａの液面レベルＨａが所定幅間隔で段階的に上昇し、それに伴って液体貯留容器Ｖｂの液面レベルＨｂは所定幅間隔で段階的に降下することになる。
【００５８】
〔別実施形態〕
（１）上記実施形態では、圧力印加手段Ｘを、液体貯留容器Ｖｂの液面レベルＨｂをガス貯留容器Ｖａの液面レベルＨａよりも高位に位置させて、液体貯留容器Ｖｂから液層接続管３０を通じてガス貯留容器Ｖａへ液体Ｌを圧送するように構成したが、本発明はこの構成に限定されるものではなく、圧力印加手段Ｘは、ガス貯留容器Ｖａ内の液面レベルＨａに上昇力を作用させて、当該ガス貯留容器Ｖａ内の気層部に供給圧を印加するものであれば良い。
例えば、上記実施形態と同様のガス貯留容器Ｖａ及び液体貯留容器Ｖｂを夫々の液面レベルＨａ，Ｈｂの高低差を設けることなく設置し、液体貯留容器Ｖｂの気層部の圧力を圧縮空気の供給等により上昇させることで、液体貯留容器Ｖｂから液層接続管３０を通じてガス貯留容器Ｖａへ液体Ｌを圧送するように圧力印加手段Ｘを構成することができる。
また、ガス貯留容器Ｖａにおいて、底面部を上下摺動可能に構成して当該底面部を機械的に上昇させたり、ポンプ等により内部に液体Ｌを注入するなどの方法で、ガス貯留容器Ｖａ内の液面レベルＨａに上昇力を作用させて、当該ガス貯留容器Ｖａ内の気層部に供給圧を印加するように圧力印加手段Ｘを構成することもできる。
【００５９】
（２）上記実施形態では、検査用ガス補給部４５とガス貯留容器Ｖａ内の液層部とを接続する検査用ガス補給管１０を設け、ガス貯留容器Ｖａ内の液面レベルＨａの降下を伴って、検査用ガス補給部４５から検査用ガス補給管１０を通じてガス貯留容器Ｖａに検査用ガスＧを補給する補給処理を実行するように構成したが、本発明はこの構成に限定されるものではなく、例えば、検査用ガス補給管１０を省略し、ガス貯留容器Ｖａを検査用ガスＧが十分に補給された新規のものと置き換えるなどして、検査用ガスＧの補給を行っても構わない。
【００６０】
（３）上記実施形態では、ガス貯留容器Ｖａから検査用ガス供給部７０ａへ検査用ガスＧを供給するにあたり、ガス貯留容器Ｖａ内の液面レベルＨａの上昇に伴って液体貯留容器Ｖｂ内の液面レベルＨｂが降下し、これら液面レベルＨａ，Ｈｂの高低差Δｈが縮小するように構成したが、例えば、ガス貯留容器Ｖａ内の液面レベルＨａの上昇に応じて、液体貯留容器Ｖｂ内に液体Ｌを補給して、液体貯留容器Ｖｂ内の液面レベルＨｂを上昇させて、液面レベルＨａ，Ｈｂの高低差Δｈを一定に維持するように構成しても構わない。
【００６１】
（４）上記実施形態では、ガス貯留容器Ｖａ及び液体貯留容器Ｖｂを、内部の液体貯留空間の水平断面積が鉛直方向において一定の容器で構成したが、本発明はこの構成に限定されるものではなく、これら容器Ｖａ、Ｖｂの形状は適宜改変することができる。例えば、円筒状又は角筒状の容器を水平方向に筒軸心を沿わせた姿勢で利用しても構わない。また、ガス貯留容器Ｖａにおける液体貯留空間の水平断面積と、液体貯留容器Ｖｂにおける液体貯留空間の水平断面積は、特に同じである必要はなく、適宜設定可能である。例えば、液体貯留容器Ｖｂにおける液体貯留空間の水平断面積を、ガス貯留容器Ｖａよりも大きくして、検査用ガス供給部７０ａへの検査用ガスＧの供給時において、液体貯留容器Ｖｂ内の液面レベルＨｂの降下幅が、ガス貯留容器Ｖａ内の液面レベルＨａの上昇幅よりも小さくなるように構成しても構わない。
【００６２】
（５）上記実施形態では、ガス貯留容器Ｖａや液体貯留容器Ｖｂを、蓋部材Ｃａ，Ｃｂで開口部が密封される密封容器で構成したが、本発明はこの構成に限定されるものではなく、これら容器を、蓋部材を有さない箱状体等の密封容器で構成しても構わない。
また、ガス貯留容器を、蓋部材を有さない密封容器で構成する場合には、当該容器の底面に孔を穿設し、その孔に配管を挿通させる形態で、配管の挿通部を底面側に配置することができる。
【００６３】
（６）上記実施形態では、ガス貯留容器Ｖａ内において開口端部１０ａを液体Ｌの液面よりも下方側に位置させた状態で検査用ガス補給管１０を蓋部材Ｃａに挿通したが、本発明はこの構成に限定されるものではなく、ガス貯留容器Ｖａ内において開口端部１０ａを液体Ｌの液面よりも上方側に位置させる状態で検査用ガス補給管１０を蓋部材Ｃａに挿通してもよい。
【符号の説明】
【００６４】
１０        検査用ガス補給管
３０        液層接続管
４０        ガス供給管
４５        検査用ガス補給部
６０        燃焼炉
６１        排気路
７０ａ      検査用ガス供給部
Ａ          ガス
Ｃａ        蓋部材
Ｃｂ        蓋部材
Ｇ          検査用ガス
Ｈａ，Ｈｂ  液面レベル
Ｌ          液体
Ｓ          ガス検知器
Ｖａ        ガス貯留容器
Ｖｂ        液体貯留容器
Ｘ          圧力印加手段
【図１】
2018124180.tif 000003
【図２】
2018124180.tif 000004